(57)【要約】向上した見易さを有する両面ディスプレイ装置用の方法及びデバイスが提供される。ディスプレイ装置は、両面ディスプレイアセンブリ（３１５）と電力供給部を含む。両面ディスプレイアセンブリは、第１の可視面（３０５）と第２の可視面（３２５）を含む。第１のエレクトロクロミック層（３１０）は第１の可視面上に形成され、第２のエレクトロクロミック層（３２０）は第２の可視面上に形成される。第１のエレクトロクロミック層と第２のエレクトロクロミック層の各々は、電力供給部からのスイッチ電圧の印加に応じて実質的な透明状態と実質的な反射状態の間で切り替え可能である。前記状態は、ディスプレイ装置の動作設定に基づいて選択される。【選択図】図３Ａ
2011517345.tif 000002
【特許請求の範囲】
【請求項１】
第１の可視面と第２の可視面を有する両面ディスプレイアセンブリと、
前記第１の可視面上に形成された第１のエレクトロクロミック層と、
前記第２の可視面上に形成された第２のエレクトロクロミック層と、
電力供給部と、を含み、
前記第１のエレクトロクロミック層と前記第２のエレクトロクロミック層の各々は、前記電力供給部からのスイッチ電圧の印加に応じて実質的な透明状態と実質的な反射状態との間で切り替え可能であり、前記状態はディスプレイ装置の動作設定に基づいて選択される、ディスプレイ装置。
【請求項２】
前記ディスプレイ装置を制御するように構成されたロジック部を更に備え、
前記ロジック部は、前記第１の可視面からの前記両面ディスプレイアセンブリの表示が、前記第２のエレクトロクロミック層による周囲の入射光の反射によって向上されるように、前記第１のエレクトロクロミック層を前記実質的な透明状態にさせ、前記第２エレクトロクロミック層を前記実質的な反射状態にさせる第１の動作設定を提供する、請求項１に記載のディスプレイ装置。
【請求項３】
前記ロジック部は、前記第２の可視面からの前記両面ディスプレイアセンブリの表示が、前記第１のエレクトロクロミック層による周囲の入射光の反射によって向上されるように、前記第１のエレクトロクロミック層を前記実質な反射状態にさせ、前記第２のエレクトロクロミック層を前記実質的な透明状態にさせる第２の動作設定を更に提供するように構成されている、請求項１に記載のディスプレイ装置。
【請求項４】
前記ロジック部は、更に、前記ディスプレイ装置の物理的な向きに基づいて前記動作設定を判定するように構成されている、請求項１に記載のディスプレイ装置。
【請求項５】
前記両面ディスプレイアセンブリは、両面液晶ディスプレイアセンブリを含む、請求項１に記載のディスプレイ装置。
【請求項６】
前記両面ディスプレイアセンブリは、光源からの光を前記両面ディスプレイ内に分配するためのバックライトアセンブリを含む、請求項１に記載のディスプレイ装置。
【請求項７】
前記バックライトアセンブリは、前記第１の可視面に直接バックライトを、前記第２の可視面に間接バックライトを提供するように更に構成され、
前記間接バックライトは、前記第１のエレクトロクロミック層が前記実質的な反射状態にある間に、前記第１のエレクトロクロミック層にバックライトを反射させることを含む、請求項６に記載のディスプレイ装置。
【請求項８】
前記両面ディスプレイアセンブリは、
第１のディスプレイと、
光源からの光を前記第１のディスプレイから直接分配するために、前記第１のディスプレイ上に形成されたバックライトアセンブリと、
前記バックライトアセンブリ上に形成された第２のディスプレイと、
を更に含み、
前記第１のエレクトロクロミック層は前記第１のディスプレイ上に形成され、前記第２のエレクトロクロミック層は前記第２のディスプレイ上に形成される、請求項１に記載のディスプレイ装置。
【請求項９】
前記第１のエレクトロクロミック層と前記第２のエレクトロクロミック層は、反射遷移金属水素化物を含む、請求項１に記載のディスプレイ装置。
【請求項１０】
前記反射遷移金属水素化物は、マグネシウムニッケル合金を含む、請求項９に記載のディスプレイ装置。
【請求項１１】
前記第１のエレクトロクロミック層と第２のエレクトロクロミック層の各々は、
第１の透明導体層と、
前記第１の透明導体層上に形成されたイオン貯蔵層と、
前記イオン貯蔵層上に形成されたイオン導電層と、
前記イオン導電層上に形成された反射エレクトロクロミック層と、
前記反射エレクトロクロミック層上に形成された第２の透明導体層と、
を含み、
前記イオン導電層と前記反射エレクトロクロミック層は、前記電力供給部からのスイッチ電圧を受信するように構成されている、請求項９に記載のディスプレイ装置。
【請求項１２】
前記第１のエレクトロクロミック層と前記第２のエレクトロクロミック層の各々は、前記実質的な反射状態の間は約８０〜１００％の反射率を、前記実質的な透明状態の間は約８０〜１００％の透過率を示す、請求項９に記載のディスプレイ装置。
【請求項１３】
プロセッサと電力供給部を有する主ハウジングと、
前記主ハウジングにヒンジで接続されたフリップハウジングと、
を含み、
前記フリップハウジングは、
外側ディスプレイと内側ディスプレイを有し、前記内側ディスプレイは前記フリップハウジングの第１側から可視でき、前記外側ディスプレイは前記フリップハウジングの第２側から可視できる両面ディスプレイアセンブリと、
前記外側ディスプレイ上に形成された外側エレクトロクロミック層と、
前記内側ディスプレイ上に形成された内側エレクトロクロミック層と、
を含み、
前記外側エレクトロクロミック層と前記内側エレクトロクロミック層の各々は、前記電力供給部からのスイッチ電圧を前記外側エレクトロクロミック層又は前記内側エレクトロクロミック層に印加するためのプロセッサ命令に応じて実質的な透明状態と実質的な反射状態の間で切り替え可能であり、前記状態は自端末の動作モードに基づいて選択される、携帯端末。
【請求項１４】
前記両面ディスプレイアセンブリは、光源からの光を前記内側ディスプレイに直接分配するために、前記内側ディスプレイと前記外部ディスプレイの間に形成されたバックライトアセンブリを更に含む、請求項１３に記載の携帯端末。
【請求項１５】
前記内側エレクトロクロミック層と前記外側エレクトロクロミック層の各々は、少なくとも反射遷移金属水素化物を含む、請求項１３に記載の携帯端末。
【請求項１６】
前記携帯端末の前記動作モードは、前記主ハウジングに対する前記フリップハウジングの位置に基づく、請求項１３に記載の携帯端末。
【請求項１７】
前記主ハウジングに対する周囲の光の状態を監視するために、前記主ハウジングに関連する第１の光センサーと、
前記フリップハウジングに対する周囲の光の状態を監視するために、前記フリップハウジングに関連する第２の光センサー、
を更に含み、
前記携帯端末の前記動作モードは、前記第１の光センサーと前記第２の光センサーに関連付けられた相対値に基づく、請求項１３に記載の携帯端末。
【請求項１８】
両面液晶ディスプレイが、前記両面液晶ディスプレイの第１の可視面を表示させる第１の動作モード、又は前記両面液晶ディスプレイの第２の可視面を表示させる第２の動作モードにいるかを判定することを含み、
前記両面液晶ディスプレイが前記第１の動作モードにいると判定される場合には、
前記両面液晶ディスプレイの前記第１の可視面上に形成された第１のエレクトロクロミック層を、実質的な透明状態にさせ、
前記両面液晶ディスプレイの前記第２の可視面上に形成された第２のエレクトロクロミック層を、実質的な反射状態にさせ、
前記両面液晶ディスプレイが前記第２の動作モードにいると判定される場合には、
前記両面液晶ディスプレイの前記第１の可視面上に形成された前記第１のエレクトロクロミック層を、実質的な反射状態にさせ、
前記両面液晶ディスプレイの前記第２の可視面上に形成された前記第２のエレクトロクロミック層を、実質的な透明状態にさせる、方法。
【請求項１９】
前記両面液晶ディスプレイが前記第１の動作モード又は前記第２の動作モードにいるかを判定することは、前記両面液晶ディスプレイの物理的な向きを監視することを更に含む、請求項１８に記載の方法。
【請求項２０】
前記両面液晶ディスプレイが前記第１の動作モード又は前記第２の動作モードにいるかを判定することは、
前記両面液晶ディスプレイの前記第１の可視面と前記両面液晶ディスプレイの前記第２の可視面への周囲の入射光を監視し、
前記両面液晶ディスプレイの前記第２の可視面よりも、前記両面液晶ディスプレイの前記第１の可視面への周囲の光がより入射される場合には、前記両面液晶ディスプレイが前記第１の動作モードにいると判断し、
前記両面液晶ディスプレイの前記第１の可視面よりも、前記両面液晶ディスプレイの前記第２の可視面への周囲の光がより入射される場合には、前記両面液晶ディスプレイが前記第２の動作モードにいると判断することを更に含む、請求項１８に記載の方法。
【発明の詳細な説明】
【技術分野】
【０００１】
本発明は、携帯機器の両面ディスプレイに関する。
【背景技術】
【０００２】
携帯端末や携帯電話の需要と利用は、過去２０年間で急増している。変動は存在するが、これらの機器は、通常、ユーザに視覚情報を提示するために、液晶ディスプレイ（ＬＣＤ）、有機発光ダイオード（ＯＬＥＤ）ディスプレイ等の表示装置を一つ又は複数含む。いくつかの実施では、ディスプレイは、ユーザからの入力を受け取るために一つ以上のタッチスクリーン部分を含みうる。一つ以上のディスプレイが組み込まれた装置の場合、フリップや二つ折りスタイルの携帯電話の上部やフリップ部のような、共通の筐体の反対側に前記ディスプレイが設けられても良い。
【０００３】
さらに、これらの装置は、しばしば、白熱照明や蛍光照明下での室内、直射日光下の屋外、暗闇等の様々な照明環境で利用又は操作されるように設計されている。そのため、装置が利用される照明条件に基づいて、ディスプレイの視認性は異なりうる。暗い又は白熱照明の環境では、ディスプレイに、ディスプレイを明るくする一つ以上のバックライトシステムが提供されうる。残念ながら、バックライト単独では、直射日光のような高輝度環境状態でディスプレイを十分に明るくすることは不適当である可能性がある。
【発明の概要】
【０００４】
本発明の原理に係る実施形態によれば、ディスプレイ装置が提供されうる。ディスプレイ装置は、第１の可視面と第２の可視面を有する両面ディスプレイアセンブリと、電力供給部を含みうる。第１のエレクトロクロミック層は第１の可視面上に形成され、第２のエレクトロクロミック層は第２の可視面上に形成されうる。第１のエレクトロクロミック層と第２のエレクトロクロミック層の各々は、電力供給部からのスイッチ電圧の印加に応じて実質的な透明状態と実質的な反射状態との間で切り替え可能であり、前記状態はディスプレイ装置の動作設定に基づいて選択される。
【０００５】
さらに、ディスプレイ装置は、ディスプレイ装置を制御するように構成されたロジック部を含みうる。ロジック部は、第１の可視面からの両面ディスプレイアセンブリの表示が、第２のエレクトロクロミック層による周囲の入射光の反射によって向上されるように、第１のエレクトロクロミック層を実質的な透明状態にさせ、第２エレクトロクロミック層を実質的な反射状態にさせる第１の動作設定を提供する。
【０００６】
さらに、ロジック部は、第２の可視面からの両面ディスプレイアセンブリの表示が、第１のエレクトロクロミック層による周囲の入射光の反射によって向上されるように、第１のエレクトロクロミック層を実質な反射状態にさせ、第２のエレクトロクロミック層を実質的な透明状態にさせる第２の動作設定を更に提供するように構成されうる。
【０００７】
さらに、ロジック部は、更に、ディスプレイ装置の物理的な向きに基づいて動作設定を判定するように構成されうる。
【０００８】
さらに、両面ディスプレイアセンブリは、両面液晶ディスプレイアセンブリを含みうる。
【０００９】
さらに、両面ディスプレイアセンブリは、光源からの光を両面ディスプレイ内に分配するためのバックライトアセンブリを含みうる。
【００１０】
さらに、バックライトアセンブリは、第１の可視面に直接バックライトを、第２の可視面に間接バックライトを提供するように更に構成され、間接バックライトは、第１のエレクトロクロミック層が実質的な反射状態にある間に、第１のエレクトロクロミック層にバックライトを反射させる。
【００１１】
さらに、両面ディスプレイアセンブリは、第１のディスプレイと、光源からの光を前記第１のディスプレイから直接分配するために、第１のディスプレイ上に形成されたバックライトアセンブリと、バックライトアセンブリ上に形成された第２のディスプレイと、を更に含みうる。第１のエレクトロクロミック層は第１のディスプレイ上に形成され、第２のエレクトロクロミック層は第２のディスプレイ上に形成される。
【００１２】
さらに、第１のエレクトロクロミック層と第２のエレクトロクロミック層は、反射遷移金属水素化物を含みうる。
【００１３】
さらに、反射遷移金属水素化物は、マグネシウムニッケル合金を含みうる。
【００１４】
さらに、第１のエレクトロクロミック層と第２のエレクトロクロミック層の各々は、第１の透明導体層と、第１の透明導体層上に形成されたイオン貯蔵層と、イオン貯蔵層上に形成されたイオン導電層と、イオン導電層上に形成された反射エレクトロクロミック層と、反射エレクトロクロミック層上に形成された第２の透明導体層と、を含み、イオン導電層と反射エレクトロクロミック層は、電力供給部からのスイッチ電圧を受信するように構成される。
【００１５】
さらに、第１のエレクトロクロミック層と第２のエレクトロクロミック層の各々は、実質的な反射状態の間は約８０〜１００％の反射率を、実質的な透明状態の間は約８０〜１００％の透過率を示しうる。
【００１６】
他の観点によれば、携帯端末は、プロセッサと電力供給部を有する主ハウジングと、主ハウジングにヒンジで接続されたフリップハウジングと、を含みうる。フリップハウジングは、外側ディスプレイと内側ディスプレイを有し、内側ディスプレイはフリップハウジングの第１側から可視でき、外側ディスプレイはフリップハウジングの第２側から可視できる両面ディスプレイアセンブリと、外側ディスプレイ上に形成された外側エレクトロクロミック層と、内側ディスプレイ上に形成された内側エレクトロクロミック層と、を含みうる。外側エレクトロクロミック層と内側エレクトロクロミック層の各々は、電力供給部からのスイッチ電圧を外側エレクトロクロミック層又は内側エレクトロクロミック層に印加するためのプロセッサ命令に応じて実質的な透明状態と実質的な反射状態の間で切り替え可能であり、前記状態は携帯端末の動作モードに基づいて選択される。
【００１７】
さらに、両面ディスプレイアセンブリは、光源からの光を前記内側ディスプレイに直接分配するために、内側ディスプレイと外部ディスプレイの間に形成されたバックライトアセンブリを更に含みうる。
【００１８】
さらに、内側エレクトロクロミック層と外側エレクトロクロミック層の各々は、少なくとも反射遷移金属水素化物を含みうる。
【００１９】
さらに、携帯端末の前記動作モードは、主ハウジングに対するフリップハウジングの位置に基づきうる。
【００２０】
さらに、携帯端末は、前記主ハウジングに対する周囲の光の状態を監視するために、前記主ハウジングに関連する第１の光センサーと、前記フリップハウジングに対する周囲の光の状態を監視するために、前記フリップハウジングに関連する第２の光センサーを含みうる。携帯端末の動作モードは、前記第１の光センサーと前記第２の光センサーに関連付けられた相対値に基づく。
【００２１】
さらに他の観点によれば、方法は、両面液晶ディスプレイが、両面液晶ディスプレイの第１の可視面を表示させる第１の動作モード、又は両面液晶ディスプレイの第２の可視面を表示させる第２の動作モードにいるかを判定することを含みうる。前記両面液晶ディスプレイが前記第１の動作モードにいると判定される場合には、前記両面液晶ディスプレイの前記第１の可視面上に形成された第１のエレクトロクロミック層を、実質的な透明状態にさせ、前記両面液晶ディスプレイの前記第２の可視面上に形成された第２のエレクトロクロミック層を、実質的な反射状態にさせる。両面液晶ディスプレイが第２の動作モードにいると判定される場合には、前記両面液晶ディスプレイの前記第１の可視面上に形成された前記第１のエレクトロクロミック層を、実質的な反射状態にさせ、前記両面液晶ディスプレイの前記第２の可視面上に形成された前記第２のエレクトロクロミック層を、実質的な透明状態にさせる。
【００２２】
さらに、両面液晶ディスプレイが第１の動作モード又は第２の動作モードにいるかを判定することは、両面液晶ディスプレイの物理的な向きを監視することを含みうる。
【００２３】
さらに、両面液晶ディスプレイが第１の動作モード又は第２の動作モードにいるかを判定することは、両面液晶ディスプレイの第１の可視面と両面液晶ディスプレイの第２の可視面への周囲の入射光を監視し、両面液晶ディスプレイの第２の可視面よりも、両面液晶ディスプレイの前記第１の可視面への周囲の光がより入射される場合には、両面液晶ディスプレイが第１の動作モードにいると判断し、両面液晶ディスプレイの第１の可視面よりも、両面液晶ディスプレイの第２の可視面への周囲の光がより入射される場合には、両面液晶ディスプレイが第２の動作モードにいると判断することを更に含みうる。
【図面の簡単な説明】
【００２４】
添付図面が参照される。添付図面中で同一の参照番号を有する要素は、同一または類似の要素を表している。
【図１Ａ】本発明に係る方法およびシステムを実施可能な携帯端末の一例を示す正面図である。
【図１Ｂ】本発明に係る方法およびシステムを実施可能な携帯端末の一例を示す正面図である。
【図２】本発明に係る実施例による図１Ａと図１Ｂの携帯端末の部品を示すブロック図である。
【図３Ａ】様々な設定モードでの図１Ａと図１Ｂのディスプレイアセンブリの側面図である。
【図３Ｂ】様々な設定モードでの図１Ａと図１Ｂのディスプレイアセンブリの側面図である。
【図４Ａ】図３Ａと図３Ｂのディスプレイアセンブリの実施例を示す側面図である。
【図４Ｂ】図３Ａと図３Ｂのディスプレイアセンブリの実施例を示す側面図である。
【図５】図３Ａと図３Ｂのエレクトロクロミック層の実施例を示す側面図である。
【図６】ここで説明される実施形態に係る携帯端末の切替え可能な両面ディスプレイを提供するための処理の一実施例を示すフロー図である。
【図７Ａ】本発明に係る方法およびシステムを実施可能な携帯端末の他の一例を示す正面図である。
【図７Ｂ】本発明に係る方法およびシステムを実施可能な携帯端末の他の一例を示す背面図である。
【発明を実施するための形態】
【００２５】
以下の本発明の詳細な説明は、添付図面を参照している。異なる図面中の同一の参照符号は、同一または類似の要素を特定している。また、以下の詳細な説明は、本発明を限定しない。代わりに、本発明の範囲は、添付の特許請求の範囲に記載された発明と、その均等物によって定義される。
【００２６】
図１Ａと図１Ｂは、ここで説明される実施形態に係る方法およびシステムを実施可能な携帯機器１００の一例を示す正面図である。ここで、本発明は、携帯端末に照らして説明される。ここで用いられるように、用語「携帯端末」は、マルチラインディスプレイの有無にかかわらずセルラー無線電話；データ処理、ファクシミリおよびデータ通信の能力をセルラー無線電話に組み合わせるうる個人通信システム（ＰＣＳ）端末；無線電話、ポケットベル、インターネット／イントラネットアクセス、ウェブブラウザ、システム手帳、カレンダおよび／または全地球位置測定システム（ＧＰＳ）受信機を含みうる携帯情報端末（ＰＤＡ）；従来のラップトップ型および／またはパームトップ型の受信機、または無線電話送受信機を含む他の機器を含みうる。携帯端末は、「広汎性演算（ｐｅｒｖａｓｉｖｅ  ｃｏｍｐｕｔｉｎｇ）」装置とも呼ばれうる。携帯端末１００は、任意にカメラも含みうる。さらに、携帯端末は、キャンディバー型、クラムシェル型、フリップ型、スライダ型、スイベル型、ピボット型を含む多種多様な形状因子を含みうる。当然のことながら、ここで説明されている実施形態は、形状因子にかかわらず携帯端末に適用可能である。
【００２７】
図１Ａを参照すると、携帯端末１００は、開いた形態で示されるフリップ型やクラムシェル型の携帯機器を含みうる。一方で、図１Ｂは、閉じた形態の携帯端末１００を示している。携帯端末１００は、メイン筐体１０５と、ヒンジ要素１１５によって連結されるフリップ筐体１１０を含みうる。メイン筐体１０５は、キーパッド１２０と、コントロールキー１２５と、マイクロホン１３０と、光センサー１３５を含みうる。メイン筐体１０５は、携帯端末１００で利用される装置および部品を保持するように構成された構造を含みうる。例えば、メイン筐体１０５は、プラスティック、金属または合成物により形成され、キーパッド１２０と、コントロールキー１２５と、マイクロホン１３０と、光センサー１３５のほかに、充電可能バッテリまたは電源、無線送受信機、および携帯端末１００の操作を容易にするように構成された複数の回路またはプロセッサ要素等、図１Ａに示されていない追加の要素も、支持するように構成されうる。フリップ筐体１１０は、内部ディスプレイ１４５と外部ディスプレイ１５０（図１Ｂに示されている）を含むディスプレイアセンブリ１４０と、スピーカ１５５を含みうる。フリップ筐体１１０とディスプレイアセンブリ１４０に関連する追加の要素は、図３Ａから図５に関する以下の追加詳細により説明される。
【００２８】
キーパッド１２０は、携帯端末１００を操作するために利用可能な装置および／またはロジックを含みうる。キーパッド１２０は、さらに、直接的に、または携帯端末１００に情報を入力するためのスタイラス等の他の装置を介して、ユーザ入力を受け取るように適合されうる。一実施では、携帯端末１００の通信機能は、キーパッド１２０のキーを作動させることにより制御されうる。キーは、番号、文字、記号等、キーに関連するキー情報を有しうる。ユーザは、電話をし、数字、コマンドおよびテキストメッセージを携帯端末１００に入力するためにキーパッド１２０のキーを操作しうる。キーの指定された機能は、ディスプレイ１４５および／またはディスプレイ１５０に表示されうる画像を形成し、および／または操作しうる。
【００２９】
コントロールキー１２５は、ディスプレイ１４５、１５０と相互に作用する等の特定の動作を通信装置１００に実行させるために、通信装置１００との情報のやりとりをユーザに可能にするボタンを含みうる。例えば、コントロールキー１２５のユーザ操作は、ディスプレイ１４５および／またはディスプレイ１５０上に設けられたユーザインターフェイスの要素を強調表示させ、または選択させうる。これにより、選択された要素又は他の要素と、次のインタラクションが可能となる。
【００３０】
マイクロホン１３０は、会話や他の音響信号を携帯端末１００による利用のための電気信号に変換する装置を含みうる。マイクロホン１３０は、入力アナログ信号をデジタル信号に変換するアナログ／デジタル変換器も含みうる。マイクロホン１３０は、携帯端末１００上の任意の場所に配置され、例えば、会話中の言葉または語句を携帯端末１００による利用のための電気信号に変換するように構成されうる。
【００３１】
光センサー１３５は、周辺光または光センサー１３５に向けられた光を検出するための装置を含みうる。一実施では、光センサー１３５は、光ダイオードまたは他の光電子部品等の任意の適切な技術を用いて、検出された光の変化を感知しうる。
【００３２】
スピーカ１５５は、聞き取れる情報または警告を携帯端末１００のユーザに提供する装置を含みうる。スピーカ１５５は、携帯端末１００上の任意の場所に配置され、例えば、ユーザが携帯端末１００を用いて通信する場合にイヤホンとして機能しうる。スピーカ１５５は、携帯端末１００内の様々な位置に設けられたいくつかのスピーカ要素を含みうる。スピーカ１５５は、デジタル信号をアナログ信号に変換するデジタル／アナログ変換器も含みうる。スピーカ１５５は、電話の着信が通信装置１００により受信されていることを示す呼び出し信号のための出力装置としても機能しうる。さらに、スピーカ１５５は、テキストまたはマルチメディアメッセージ、電子メールまたはインスタントメッセージの受信を示す可聴警告のほかに、リマインダまたは同種のものの発生を示す警告のための出力装置としても機能しうる。
【００３３】
ディスプレイアセンブリ１４０は、視覚映像または視覚情報をユーザに提供する１つ以上の装置を含みうる。例えば、携帯端末１００が開いた形態にある間、内部ディスプレイ１４５は、電話の着信／発信、テキストメッセージ、ゲーム、電話帳、現在日時、音量設定等に関する図形情報を携帯端末１００のユーザに提供しうる。外部ディスプレイ１５０は、携帯端末１００が閉じた形態にある間、同様の図形情報または視覚情報をユーザに提供しうる。ディスプレイ１４５および／またはディスプレイ１５０の実装は、白黒またはカラーのフラットパネルディスプレイ、液晶ディスプレイ等として実施されうる。
【００３４】
ここで説明される実施形態に係る一実施で、ディスプレイアセンブリ１４０の内部ディスプレイ１４５と外部ディスプレイ１５０は、両面液晶ディスプレイとして形成されうる。内部ディスプレイ１４５と外部ディスプレイ１５０は、例えば携帯端末１００のコスト、サイズ、所要電力を減らすために構成された共通部品を備えるように、互いに組み合わせて形成されている。フリップ筐体１１０と、内部ディスプレイ１４５と、外部ディスプレイ１５０に関連する追加の要素は、図３Ａから図５に関する以下の追加詳細により説明される。
【００３５】
図２は、説明された実施形態に係る実施例による携帯端末１００の部品を示す図である。携帯端末１００は、処理ロジック２１０、メモリ２２０、入力装置２３０、電源供給部２４０およびディスプレイアセンブリ２５０を含みうる。当業者は、携帯端末１００が、多くの他の方法により構成可能であり、１以上の無線周波数（ＲＦ）アンテナ、送受信機、変調器／復調器、エンコーダ／デコーダ、スピーカ等の他の要素または異なる要素を含みうることを認識するであろう。
【００３６】
処理ロジック２１０は、プロセッサ、マイクロプロセッサ、特定用途向け集積回路（ＡＳＩＣ）、フィールド・プログラマブル・ゲート・アレイ（ＦＰＧＡ）等を含みうる。処理ロジック２１０は、携帯端末１００の動作を制御するために、ソフトウェアプログラムまたはデータ構造を実行しうる。メモリ２２０は、処理ロジック２１０による実行のための情報および指令を格納する、ランダム・アクセス・メモリ（ＲＡＭ）または他の形式の動的記憶装置；処理ロジック２１０による利用のための静的情報および指令を格納する、リード・オンリー・メモリ（ＲＯＭ）または他の形式の静的記憶装置；および／またはいくつかの他の形式の磁気記録媒体または光記録媒体と、これらに対応するドライブを含みうる。処理ロジック２１０により利用される指令も、または代わりに、処理ロジック２１０によりアクセス可能な他の形式のコンピュータ可読の媒体に格納されてもよい。コンピュータ可読の媒体は、１以上のメモリ装置および／または搬送波を含みうる。
【００３７】
入力装置２３０は、携帯端末１００に情報を入力することを操作者に可能にする、例えば、マイクロホン、キーボード、キーパッド、マウス、ペン、スタイラス、タッチスクリーンディスプレイ、音声認識および／または生態認証メカニズム等、任意のメカニズムを含みうる。入力装置２３０は、例えばディスプレイアセンブリ２５０に関連する選択肢のメニューを受付けることをユーザに可能にする１以上のボタンも含みうる。
【００３８】
電力供給部２４０は、ディスプレイアセンブリ２５０等、携帯端末１００の部品に電力を供給しうる。ディスプレイアセンブリ２５０は、ディスプレイアセンブリ１４０に関連するハードウェアおよび／またはソフトウェア部品を含みうる。例えば、ディスプレイアセンブリ２５０は、例えば、通話情報、電話帳またはアドレス帳の情報等を含む様々な形式の情報のユーザに対する表示を容易にするための１以上のディスプレイを含みうる。さらに、ディスプレイアセンブリ２５０は、インタラクティブメニュー、ウェブブラウザ、写真等を視認するための１以上の高解像度インターフェイスを提供しうる。簡単に上述したように、ディスプレイアセンブリ２５０は、第１向きや第１設定の間表示可能な内側ディスプレイと、第２向きや第２設定の間表示可能な外側ディスプレイとを有する両面液晶ディスプレイを含みうる。ここで説明される実施形態に係る一実施例では、ディスプレイアセンブリ２５０は、異なる照明条件下で内側ディスプレイと外側ディスプレイの改善された見易さを提供するように構成されうる。ディスプレイアセンブリ２５０の特異性は、以下で詳細に説明される。
【００３９】
一実施形態で、携帯端末１００は、例えば、ディスプレイアセンブリ２５０（例えば、図１Ａ、図１Ｂのディスプレイアセンブリ１４０）の操作や設定を動的に変更することに関連する処理を実行しうる。携帯端末１００は、メモリ２２０等のコンピュータ可読の媒体に格納された指令シーケンスを実行する処理ロジック２１に応答して、および選択的に入力装置２３０を通じたユーザインタラクションに応答して、これらの動作を行いうる。当然ながら、コンピュータ可読の媒体は、１以上のメモリ装置を含みうる。メモリ２２０に格納された指令シーケンスの実行は、後に説明される動作を処理ロジック２１０および／またはディスプレイアセンブリ２５０に実行させる。以下で説明するように、以下で説明する実施形態に係る処理を実施するために、ソフトウェア指令とともに配線回路が利用されてもよい。よって、ここで説明する実施形態に係る実施は、ハードウェア回路とソフトウェアとの特定の組合せに限定されない。
【００４０】
図３Ａは、ここで説明される実施形態にかかる一実施によるフリップハウジング１１０が閉じた形態（例えば、外側ディスプレイ１５０が見える）にある場合の、図１Ａと図１Ｂのディスプレイアセンブリ１４０の側面図である。図３Ｂは、ここで説明される実施形態にかかる一実施によるフリップハウジング１１０が開いた形態（例えば、内側ディスプレイ１４５が見える）にある場合の、図１Ａと図１Ｂのディスプレイアセンブリ１４０の側面図である。図３Ａと図３Ｂに図示されるように、ディスプレイアセンブリ１４０は、透明な外カバー３０５と、外側エレクトロクロミック層３１０と、実質的に透明な液晶アセンブリ３１５と、内側エレクトロクロミック層３２０と、透明な内カバー３２５とを含みうる。上述したように、ディスプレイアセンブリ１４０は、図１Ａと図１Ｂに示す携帯端末１００のフリップハウジング１１０内に含められ、または組み込まれうる。一実施例では、フリップハウジング１１０は、内側の透明カバー３２５と外側の透明カバー３０５の少なくとも一部が携帯端末１００の外側から見ることができるように、形成された１以上の窓や開口を含みうる。
【００４１】
ここで説明する実施形態に整合するように、外側エレクトロクロミック層３１０と内側エレクトロクロミック層３２０は、層３１０と層３２０のどちらかに対する（例えば、電力供給部２４０からの）適切な電圧（または電流）の印加に応じて、反射状態と透明状態の間で選択的に遷移するように構成された構造と材料を含みうる。エレクトロクロミック層３１０とエレクトロクロミック層３２０に関する詳細は、以下の追加詳細で説明される。
【００４２】
図３Ａに示すように、携帯端末１００が閉じた形態（例えば、フリップハウジング１１０がメインハウジング１０５に対して閉じている）にある場合には、外側エレクトロクロミック層３１０は、実質的な透明状態にあり、または実質的な透明状態に遷移しうる。一方で、内側エレクトロクロミック層３２０は、実質的な反射状態にあり、または実質的な反射状態に遷移しうる。いつくかの実施では、この設定は、携帯端末１００に関するデフォルト設定でありうる。よって、実質的にパッシブな（ｐａｓｓｉｖｅ）状態にある間、ユーザによるインタラクションを必要とせずに、外側ディスプレイ１５０の最高の視認性を得られる。または、主ハウジング１０５に対してフリップハウジング１１０が閉じることに応じて、または表示オプションのユーザ選択に応じて、この設定への遷移が行われうる。他の実施では、周囲条件情報、例えば光センサー１３５により受信した情報は、上述した遷移のトリガーとして利用されうる。
【００４３】
図示するように、図３Ａの閉じた形態では、透明な外カバー３０５に入射する周辺光（図３Ａで矢印Ｌｉで表されている）は、外側エレクトロクロミック層３１０と液晶アセンブリ３１５と通過し、内側エレクトロクロミック層３２０に反射しうる。反射光（図３Ａで矢印ＬＲで表されている）は、液晶アセンブリ３１５、外側エレクトロクロミック層３１０、外カバー３０５を通過しうる。このため、特に高レベルの周辺光を有する環境では、液晶アセンブリ３１５に示される情報の可視性を視聴者に高める。
【００４４】
図３Ｂの開いた形態では、外側エレクトロクロミック層３１０は、実質的な反射状態に遷移する一方で、内側エレクトロクロミック層３２０は、実質的な透明状態に遷移しうる。ある実施では、主ハウジング１０５に対してフリップハウジング１１０が開くことに応じて、または表示オプションのユーザ選択に応じて、開設定への遷移が行われうる。他の実施では、周囲条件情報、例えば光センサー１３５により受信した情報は、上述した遷移のトリガーに用いられうる。別の実施では、ジャイロスコープまたは他の動き検出装置は、開く形態に関連づけられる遷移のトリガーに用いられうる。
【００４５】
図示するように、図３Ｂの開いた形態では、透明な内カバー３２５に入射する周辺光（図３Ｂで矢印Ｌｉで表されている）は、内側エレクトロクロミック層３２０と液晶アセンブリ３１５と通過し、内側エレクトロクロミック層３１０に反射しうる。反射光（図３Ｂで矢印ＬＲで示されている）は、液晶アセンブリ３１５、内側エレクトロクロミック層３２０、透明な内カバー３２５を通過しうる。このため、液晶アセンブリ３１５に表示された情報の可視性を視聴者に高める。
【００４６】
ここで説明される実施形態に整合して、液晶アセンブリ３１５は、アクティブマトリックスまたはパッシブマトリックス薄膜トランジスタ（ＴＦＴ）液晶ディスプレイ等、任意の適切な液晶ディスプレイ技術を含みうる。図４Ａは、ここで説明される実施に係る液晶ディスプレイ３１５の一実施例を示す。図４Ａに示すように、液晶アセンブリ３１５は、両面液晶ディスプレイ４１０（例えば、シングルツイストネマチックＬＣＤ）、導光層４１５、光源４２０を含みうる。両面ＬＣＤ４１０は、両面ＬＣＤ４１０の状態に応じて、液晶ディスプレイアセンブリの両側に視覚情報を提供するように構成されうる。導光層４１５は、光源４２０からの光を一様に分配するように構成された光分散層を含みうる。例えば、導光層４１５は、プリズム型の光分散体を含みうる。ある実施では、光源４２０は、側端型（ｓｉｄｅ  ｅｄｇｅ  ｔｙｐｅ）のバックライト装置を含みうる。ここで説明される実施形態に整合して、両面ＬＣＤ４１０と導光層４１５は、携帯端末１００の動作モードに応じて、外側エレクトロクロミック層３１０と内側エレクトロクロミック層３２０のいずれかを通過する光に実質的に透明でありうる。
【００４７】
図４Ｂは、ここで説明する実施に係る液晶アセンブリ３１５の他の実施例を示す。図４Ｂに示すように、液晶アセンブリ３１５は、内側液晶アセンブリ４３０と、導光層４３５と、光源４４０と、外側液晶アセンブリ４４５を含みうる。ここで説明する実施例に整合して、導光層４３５と同様に内側液晶アセンブリ４３０と外側液晶アセンブリ４４５の各々は、外側エレクトロクロミック層３１０と内側エレクトロクロミック層３２０のいずれかを通過する光に実質的に透明でありうる。携帯端末１００の動作モードに応じて、内側液晶アセンブリ４３０と外側液晶アセンブリ４４５のいずれかに情報が表示されうる。例えば、閉じた形態の間は、外側液晶アセンブリ４４５はアクティブでありうるが、内側液晶アセンブリ４３０は非アクティブでありうる。また、開いた形態の間は、内側液晶アセンブリ４３０はアクティブでありうるが、外側液晶アセンブリ４４５は非アクティブでありうる。
【００４８】
導光層４３５は、光源４４０からの光を一様に分配するように構成された光分散層を含みうる。例えば、導光層４３５は、プリズム型の光分散体を含みうる。ある実施では、光源４４０は、側端型（ｓｉｄｅ  ｅｄｇｅ  ｔｙｐｅ）のバックライト装置を含みうる。図示するように、導光層４３５は、内側エレクトロクロミック層３２０からの反射を介して、直接バックライトを内側液晶アセンブリ４３０に提供し、間接バックライトを外側液晶アセンブリ４４５に提供するように構成されうる。
【００４９】
図５は、ここで説明する実施に係るエレクトロクロミック層３１０、３２０の一実施例を示す。図５に図示するように、エレクトロクロミック層３１０、３２０の各々は、ガラス基板５０５と、第１の透明導電層５１０と、イオン貯蔵層５１５と、イオン導電／電解質層５２０と、エレクトロクロミック層５３０と、第２の透明導電層５３５と、透明基板５４０を含みうる。いくつかの実施では、ガラス基板５０５は、液晶アセンブリ３１５に含まれうる。このような実施では、層５１０−５４０は、液晶アセンブリ３１５の反対側に１以上のフィルムとして適用されうる。
【００５０】
ある実施では、透明導電層５１０、５３５は、インジウムスズ酸化物（ＩＴＯ）等、任意の適切な透明導電材料を含みうる。導電層５１０、５３５は、スパッタリング等、任意の適切な処理を介して層５０５、５３０上にそれぞれ形成されうる。イオン貯蔵層５１５は、水和ニッケル酸化物、五酸化バナジウム等、イオンが注入された実質的な透明材料を含みうる。エレクトロクロミック層５３０中のイオンの存在は、光特性の所望の変化を生じさせる。例えば、イオン貯蔵層５１５には、リチウム、ナトリウム、銀、カリウム、マグネシウム、水素等、材料の原子が注入されうる。
【００５１】
エレクトロクロミック層５３０は、ニッケルマグネシウム合金等の反射性遷移金属水素化物（ｒｅｆｌｅｃｔｉｖｅ  ｔｒａｎｓｉｔｉｏｎ  ｍｅｔａｌ  ｈｙｄｒｉｄｅ  ｍａｔｅｒｉａｌ）または合金を含みうる。自然状態では、層５３０の反射性遷移金属水素化物は、反射状態で存在する。しかし、イオン貯蔵層５１５とエレクトロクロミック層５３０に適切な電圧または電流を印加すると、イオン貯蔵層５１５に当初存在したイオンの少なくとも一部は、イオン導電／電解質層５２０を横切ってエレクトロクロミック層５３０に伝達されうる。例えば、イオン貯蔵層５１５に存在する水素イオン（Ｈ＋）またはリチウムイオン（Ｌ＋）は、イオン導電／電解質層５２０を横切ってエレクトロクロミック層５３０に伝達されうる。これらのイオンを適切な数で注入すると、エレクトロクロミック層５３０は、実質的な透明状態に遷移しうる。印加される電圧または電流の反転は、イオン貯蔵層５１５にイオンを戻す逆の流れをもたらし、これによりエレクトロクロミック層５３０を実質的な反射状態に遷移させうる。一方の方向でのイオンの注入が一旦完了すると、エレクトロクロミック層５３０を現在の動作状態（つまり、反射または透明）に維持するための維持電圧は必要とされない。言い換えれば、遷移は、不揮発性である。
【００５２】
よって、電圧の適当な印加に基づき、外側エレクトロクロミック層３１０と内側エレクトロクロミック層３２０は、携帯端末１００の動作モードに応じて、反射状態または透明状態に選択的に操作されうる。
【００５３】
一実施形態では、エレクトロクロミック層３１０、３２０は、反射性の遷移金属水素化物層（エレクトロクロミック層５３０等）を含み、層３１０、３２０の各々は、約５００〜２５００ナノメートルの厚さを有しうる。さらに、エレクトロクロミック層３１０、３２０は、反射状態で約８０〜１００％の反射率を有し、透明状態で約８０〜１００％の透過率を有しうる。切替え時間は、５０〜２０００ミリ秒のオーダーであり、スイッチ電圧は、０．２５〜３．０ボルトのオーダーでありうる。
【００５４】
図６は、ここで説明される実施形態に係る携帯端末の切替え可能な両面ディスプレイを提供するための処理の一実施例を示すフロー図である。処理は、外側エレクトロクロミック層（例えば、層３１０）と内側エレクトロクロミック層（例えば、層３２０）の現在状態を識別すること（ブロック６００）を含みうる。一実施では、層３１０、３２０の各々の反射状態または透明状態を示す値が、テーブルやレジスタ、例えばメモリ２２０に記憶されうる。上述したように、携帯端末のデフォルト状態は、反射照明や半透過型（ｔｒａｎｓｆｌｅｃｔｉｖｅ）照明を介して初期に見える外側ディスプレイ１５０を含みうる。よって、この実施では、外側エレクトロクロミック層３１０は、初期の透明状態に提供される一方で、内側エレクトロクロミック層３２０は、初期の反射状態に提供されうる。
【００５５】
携帯端末１００の動作モードの変更指示は、（処理ロジック２１０にて）受信しうる（ブロック６１０）。例えば、処理ロジック２１０は、携帯端末１００が開設定から閉設定へ、または逆に変更したという指示（例えば、ソフトウェア手段、物理的なスイッチ手段等を介して）を受信しうる。モード変更指示を受け取ると、現在のエレクトロクロミック層の状態情報が、読み出されうる（ブロック６２０）。適切な電圧が、各エレクトロクロミック層に印加され、各状態の逆転をもたらしうる（ブロック６３０）。
【００５６】
例えば、外側エレクトロクロミック層３１０の現在状態が透明状態であり、内側エレクトロクロミック層３２０の現在状態が反射状態である場合には、適切な電圧が印加され、外側エレクトロクロミック層３１０の層５３０からイオン貯蔵層５１５へのイオンの移動を生じさせ、これにより外側エレクトロクロミック層３１０を反射状態にさせる。同時に、適切な電圧が印加され、内側エレクトロクロミック層３２０に関連しているイオン貯蔵層５１５から内側エレクトロクロミック層３２０の層５３０へイオンの移動を生じさせ、これにより内側エレクトロクロミック層３２０を透明状態にさせうる。処理は、次に、外側エレクトロクロミック層３１０と内側エレクトロクロミック層３２０の現在状態をそれぞれ記憶するためにブロック６００へ戻る。
【００５７】
図７Ａと図７Ｂは、それぞれ、ここで説明される実施形態に係るシステムや方法が実装されうる携帯端末７００の他の例の正面図と背面図である。図示するように、携帯端末７００は、正面７１０に第１のディスプレイ７０５と、第２の面７２０に第２のディスプレイ７１５を含むスティック型やキャンディバー型の携帯装置である。さらに、正面７１０は、キーパッド７２５と、制御キー７３０と、マイクロホン７３５と、スピーカ７４０と、第１の光センサー７４５を含みうる。携帯端末７００の背面は、第２のディスプレイ７１０と、メディア制御キー７５０と、第２の光センサー７５５を含みうる。
【００５８】
上述した実施形態に整合して、第１のディスプレイ７０５と第２のディスプレイ７１５は、現在使用されているディスプレイの見易さを向上するように構成されたエレクトロクロミック素子を含みうる。現在使用されているディスプレイを判定するために、携帯端末７００は（または、それに関連するプロセッサ）は、より高い周辺光の測定値が携帯端末７００の現在使用されている面により対応させながら、光センサー７４５、７５５に基づく測定を利用しうる。別の実施では、キーパッド７２５やメディア制御キー７５０のうちの一つのキー押下は、携帯端末７００の現在使用されている面を示しうる。さらに他の別の実施では、運動センサーやジャイロスコープ（不図示）は、携帯端末７００の現在使用されている面（従って、どちらのディスプレイ）を識別するために使用されうる。使用されている携帯端末７００の面に応じて、それに関連するプロセッサは、各ディスプレイの透明／反射状態を制御しうる。いくつかの実施では、この制御は、表示されている表示の変化に応じて（例えば、携帯端末７００の回転に応じて等）、実質的にリアルタイムで行われうる。
【００５９】
＜結論＞
ここで説明する実施形態に係る実施は、各ディスプレイに関連するエレクトロクロミック反射層の電子的な切替えにより、両面ディスプレイの視認性を増加させる。この方法では、今日使用されているディスプレイの最大のバックライトが有効となりうる。このことは、様々な照明条件でディスプレイ装置の利用性を向上させるという利点をもたらし、増加したバックライトの明るさにより強い周辺光が無効にされる実施形態では、低い電流消費を要求する。ある実施形態では、各ディスプレイに関連するエレクトロクロミック反射層の電子的な切替え制御は、操作モード、物理的な設定、またはディスプレイ装置に関連する照明条件に基づき、リアルタイムで実行されうる。
【００６０】
前述した実施形態の説明は、図示および説明を提供するが、開示された明確な形態に本発明を限定することを意図してはいない。変更および変形は、上記教示を考慮して可能であり、本発明の実施から得られてもよい。
【００６１】
例えば、前述した実施形態は、携帯電話等、主に携帯装置に関連するが、ここで説明する観点は、様々な光環境に取り入れられた他の技術にも適用可能である。例えば、屋外標識には、強いレベルの周辺光の存在下で標識の視認性を改善するように構成されたエレクトロクロミック層を有する半透過型ディスプレイ（ＬＣＤ、ＬＥＤディスプレイ、ＯＬＥＤディスプレイ等）が設けられてもよい。あるいは、装置制御スクリーン（例えば、ビデオカメラまたはデジタルカメラ）、遠隔制御インターフェイス等、他のタイプのディスプレイは、上述した実施形態に基づいて構成されてもよい。
【００６２】
さらに、一連のブロックおよび／または処理が図６で説明されたが、ブロックおよび／または処理の順序は、他の実施で変更されてもよい。
【００６３】
当業者であれば、様々な実施形態が、前述したように、セルラー通信装置／システム、方法および／またはコンピュータプログラム製品により実施可能であることは明らかであろう。よって、本発明は、ハードウェアおよび／またはソフトウェア（ファームウェア、常駐ソフトウェア、マイクロコード等）により具体化されてもよい。さらに、様々な実施形態は、指令実行システムにより利用されまたは指令実行システムに関連する、コンピュータ利用可能またはコンピュータ読取り可能なプログラムコードを有する、媒体で実施されるコンピュータ利用可能またはコンピュータ読取り可能な記憶媒体上のコンピュータプログラムの形式をとってもよい。ここで説明する実施形態に係る観点を実施するために利用される実際のソフトウェアコードまたは特殊な制御ハードウェアは、本発明を限定しない。よって、観点の動作および挙動は、具体的なソフトウェアコードを参照せずに説明された。当然ながら、当業者であれば、ここでの説明に基づく観点を実施するためのソフトウェアおよび制御ハードウェアを設計することが可能である。
【００６４】
さらに、本発明の特定の部分は、１以上の機能を実行する「ロジック」として実施されうる。このロジックは、特定用途向け集積回路またはフィールド・プログラマブル・ゲート・アレイ等のハードウェア、ソフトウェア、またはハードウェアとソフトウェアの組合せを含みうる。
【００６５】
本明細書中では、用語「からなる（ｃｏｍｐｒｉｓｅｓ／ｃｏｍｐｒｉｓｉｎｇ）」は、明記された特徴、整数（ｉｎｔｅｇｅｒ）、ステップまたは部品の存在を特定するために用いられるが、１以上の他の特徴、整数（ｉｎｔｅｇｅｒ）、ステップ、部品またはこれらの組合せの存在または追加を排除してはいない。
【００６６】
本出願の説明で用いられた要素、動作、指令は、特に明記しない限り、本発明には不可欠または必須の事項であると理解されるべきではない。また、ここで用いられるように、冠詞「ａ」は、１以上の項目を含むことを意図している。単一の項目のみを意図する場合、用語「ｏｎｅ」または類似の言葉が用いられる。さらに、語句「〜に基づく（ｂａｓｅｄ  ｏｎ）」は、特に明記しない限り、「少なくとも一部で、〜に基づく」を意味することを意図している。
本発明の範囲は、特許請求の範囲及びその等価物によって定義される。
【図１Ａ】
2011517345.tif 000003
【図１Ｂ】
2011517345.tif 000004
【図２】
2011517345.tif 000005
【図３Ａ】
2011517345.tif 000006
【図３Ｂ】
2011517345.tif 000007
【図４Ａ】
2011517345.tif 000008
【図４Ｂ】
2011517345.tif 000009
【図５】
2011517345.tif 000010
【図６】
2011517345.tif 000011
【図７Ａ】
2011517345.tif 000012
【図７Ｂ】
2011517345.tif 000013
【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
第１の可視面と第２の可視面を有する両面ディスプレイアセンブリと、
前記第１の可視面上に形成された第１のエレクトロクロミック層と、
前記第２の可視面上に形成された第２のエレクトロクロミック層と、
電力供給部と、を含み、
前記第１のエレクトロクロミック層と前記第２のエレクトロクロミック層の各々は、前記電力供給部からのスイッチ電圧の印加に応じて実質的な透明状態と実質的な反射状態との間で切り替え可能であり、前記第１の可視面から情報が見える第１の動作設定と前記第２の可視面から見える情報が第２の動作設定とを含む前記状態はディスプレイ装置の動作
前記ディスプレイ装置が前記第１動作設定または前記第２動作設定にいるか否かを判定する処理ロジックを更に含み、
前記ディスプレイ装置が前記第１動作設定または前記第２動作設定にいるか否かを判定する際に、
前記処理ロジックは、
前記第１の可視面と前記第２の可視面上の周囲の光の入射に関する情報を受信し、
前記第２可視面よりも前記第１の可視面に周囲の光がより入射される場合には、前記両面ディスプレイアセンブリは前記第１の動作設定にあると判定し、
前記第１可視面よりも前記第２の可視面に周囲の光がより入射される場合には、前記両面ディスプレイアセンブリは前記第２の動作設定にあると判定する、ディスプレイ装置。
【請求項２】
前記ディスプレイ装置が前記第１の動作設定にあると判定される場合には、
前記処理ロジックは、前記第１の可視面からの前記両面ディスプレイアセンブリの表示が、前記第２のエレクトロクロミック層による周囲の入射光の反射によって向上されるように、前記第１のエレクトロクロミック層を前記実質的な透明状態にさせ、前記第２エレクトロクロミック層を前記実質的な反射状態にさせるように構成されている、請求項１に記載のディスプレイ装置。
【請求項３】
前記ディスプレイ装置が前記第２の動作設定にあると判定される場合には、
前記処理ロジックは、前記第２の可視面からの前記両面ディスプレイアセンブリの表示が、前記第１のエレクトロクロミック層による周囲の入射光の反射によって向上されるように、前記第１のエレクトロクロミック層を前記実質な反射状態にさせ、前記第２のエレクトロクロミック層を前記実質的な透明状態にさせるように更に構成されている、請求項２に記載のディスプレイ装置。
【請求項４】
前記両面ディスプレイアセンブリは、両面液晶ディスプレイアセンブリを含む、請求項１に記載のディスプレイ装置。
【請求項５】
前記両面ディスプレイアセンブリは、光源からの光を前記両面ディスプレイ内に分配するためのバックライトアセンブリを含む、請求項１に記載のディスプレイ装置。
【請求項６】
前記バックライトアセンブリは、前記第１の可視面に直接バックライトを、前記第２の可視面に間接バックライトを提供するように更に構成され、
前記間接バックライトは、前記第１のエレクトロクロミック層が前記実質的な反射状態にある間に、前記第１のエレクトロクロミック層にバックライトを反射させることを含む、請求項５に記載のディスプレイ装置。
【請求項７】
前記両面ディスプレイアセンブリは、
第１のディスプレイと、
光源からの光を前記第１のディスプレイから直接分配するために、前記第１のディスプレイ上に形成されたバックライトアセンブリと、
前記バックライトアセンブリ上に形成された第２のディスプレイと、
を更に含み、
前記第１のエレクトロクロミック層は前記第１のディスプレイ上に形成され、前記第２のエレクトロクロミック層は前記第２のディスプレイ上に形成される、請求項１に記載のディスプレイ装置。
【請求項８】
前記第１のエレクトロクロミック層と前記第２のエレクトロクロミック層は、反射遷移金属水素化物を含む、請求項１に記載のディスプレイ装置。
【請求項９】
前記反射遷移金属水素化物は、マグネシウムニッケル合金を含む、請求項８に記載のディスプレイ装置。
【請求項１０】
前記第１のエレクトロクロミック層と第２のエレクトロクロミック層の各々は、
第１の透明導体層と、
前記第１の透明導体層上に形成されたイオン貯蔵層と、
前記イオン貯蔵層上に形成されたイオン導電層と、
前記イオン導電層上に形成された反射エレクトロクロミック層と、
前記反射エレクトロクロミック層上に形成された第２の透明導体層と、
を含み、
前記イオン導電層と前記反射エレクトロクロミック層は、前記電力供給部からのスイッチ電圧を受信するように構成されている、請求項８に記載のディスプレイ装置。
【請求項１１】
前記第１のエレクトロクロミック層と前記第２のエレクトロクロミック層の各々は、前記実質的な反射状態の間は約８０〜１００％の反射率を、前記実質的な透明状態の間は約８０〜１００％の透過率を示す、請求項８に記載のディスプレイ装置。
【請求項１２】
主ハウジングに対する周囲の光条件を監視する第１の光センサーとプロセッサと電力供給部を有する主ハウジングと、
前記主ハウジングにヒンジで接続されたフリップハウジングと、
を含み、
前記フリップハウジングは、
前記フリップハウジングに対する周囲の光条件を監視する第２の光センサーと、
外側ディスプレイと内側ディスプレイを有し、前記内側ディスプレイは前記フリップハウジングの第１側から可視でき、前記外側ディスプレイは前記フリップハウジングの第２側から可視できる両面ディスプレイアセンブリと、
前記外側ディスプレイ上に形成された外側エレクトロクロミック層と、
前記内側ディスプレイ上に形成された内側エレクトロクロミック層と、
を含み、
前記外側エレクトロクロミック層と前記内側エレクトロクロミック層の各々は、前記電力供給部からのスイッチ電圧を前記外側エレクトロクロミック層又は前記内側エレクトロクロミック層に印加するためのプロセッサ命令に応じて実質的な透明状態と実質的な反射状態の間で切り替え可能であり、前記状態は自端末の動作モードに基づいて選択され、
前記主ハウジングは、前記両面ディスプレイアセンブリが前記内側ディスプレイを表示させる第１の動作モードまたは前記外側ディスプレイを表示させる第２の動作モードにいるか否かを判定する処理ロジックを更に含み、
前記両面ディスプレイアセンブリが前記第１の動作モードまたは前記第２の動作モードにいるか否かを判定する際に、
前記処理ロジックは、
前記処理ロジックは、前記第１の光センサーと前記第２の光センサーによって監視された周囲の光条件を受信し、
前記第１の光センサーと前記第２の光センサーから受信した前記周囲の光条件が、前記外側ディルプレイよりも前記内側ディスプレイへ周囲の光がより入射されることを示す場合には、前記両面ディスプレイアセンブリは前記第１の動作モードにいると判定し、
前記第１の光センサーと前記第２の光センサーから受信した前記周囲の光条件が、前記内側ディルプレイよりも前記外側ディスプレイへ周囲の光がより入射されることを示す場合には、前記両面ディスプレイアセンブリは前記第１の動作モードにいると判定する、携帯端末。
【請求項１３】
前記両面ディスプレイアセンブリは、光源からの光を前記内側ディスプレイに直接分配するために、前記内側ディスプレイと前記外部ディスプレイの間に形成されたバックライトアセンブリを更に含む、請求項１２に記載の携帯端末。
【請求項１４】
前記内側エレクトロクロミック層と前記外側エレクトロクロミック層の各々は、少なくとも反射遷移金属水素化物を含む、請求項１２に記載の携帯端末。
【請求項１５】
両面液晶ディスプレイが、前記両面液晶ディスプレイの第１の可視面を表示させる第１の動作モード、又は前記両面液晶ディスプレイの第２の可視面を表示させる第２の動作モードにいるかを判定することを含み、
前記両面液晶ディスプレイが前記第１の動作モードまたは前記第２の動作モードにいるかを判定することは、
前記両面液晶ディスプレイの前記第１の可視面と、前記両面液晶ディスプレイの前記第２の可視面上の周囲の光の入射を監視し、
前記両面液晶ディスプレイの前記第１の可視面への周囲の光の入射が、前記両面液晶ディスプレイの前記第２の可視面への入射よりも多い場合には、前記両面液晶ディスプレイは前記第１の動作モードにあると判定し、
前記両面液晶ディスプレイの前記第２の可視面への周囲の光の入射が、前記両面液晶ディスプレイの前記第１の可視面への入射よりも多い場合には、前記両面液晶ディスプレイは前記第２の動作モードにあると判定することを更に含み、
前記両面液晶ディスプレイが前記第１の動作モードにいると判定される場合には、
前記両面液晶ディスプレイの前記第１の可視面上に形成された第１のエレクトロクロミック層を、実質的な透明状態にさせ、
前記両面液晶ディスプレイの前記第２の可視面上に形成された第２のエレクトロクロミック層を、実質的な反射状態にさせ、
前記両面液晶ディスプレイが前記第２の動作モードにいると判定される場合には、
前記両面液晶ディスプレイの前記第１の可視面上に形成された前記第１のエレクトロクロミック層を、実質的な反射状態にさせ、
前記両面液晶ディスプレイの前記第２の可視面上に形成された前記第２のエレクトロクロミック層を、実質的な透明状態にさせる、方法。
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
第１の可視面と第２の可視面を有する両面ディスプレイアセンブリと、
前記第１の可視面上に形成された第１のエレクトロクロミック層と、
前記第２の可視面上に形成された第２のエレクトロクロミック層と、
電力供給部と、を含み、
前記第１のエレクトロクロミック層と前記第２のエレクトロクロミック層の各々は、前記電力供給部からのスイッチ電圧の印加に応じて実質的な透明状態と実質的な反射状態との間で切り替え可能であり、前記第１の可視面から情報が見える第１の動作設定と前記第２の可視面から見える情報が第２の動作設定とを含む前記状態はディスプレイ装置の動作
前記ディスプレイ装置が前記第１動作設定または前記第２動作設定にいるか否かを判定する処理ロジックを更に含み、
前記ディスプレイ装置が前記第１動作設定または前記第２動作設定にいるか否かを判定する際に、
前記処理ロジックは、
前記第１の可視面と前記第２の可視面上の周囲の光の入射に関する情報を受信し、
前記第２可視面よりも前記第１の可視面に周囲の光がより入射される場合には、前記両面ディスプレイアセンブリは前記第１の動作設定にあると判定し、
前記第１可視面よりも前記第２の可視面に周囲の光がより入射される場合には、前記両面ディスプレイアセンブリは前記第２の動作設定にあると判定する、ディスプレイ装置。
【請求項２】
前記ディスプレイ装置が前記第１の動作設定にあると判定される場合には、
前記処理ロジックは、前記第１の可視面からの前記両面ディスプレイアセンブリの表示が、前記第２のエレクトロクロミック層による周囲の入射光の反射によって向上されるように、前記第１のエレクトロクロミック層を前記実質的な透明状態にさせ、前記第２エレクトロクロミック層を前記実質的な反射状態にさせるように構成されている、請求項１に記載のディスプレイ装置。
【請求項３】
前記ディスプレイ装置が前記第２の動作設定にあると判定される場合には、
前記処理ロジックは、前記第２の可視面からの前記両面ディスプレイアセンブリの表示が、前記第１のエレクトロクロミック層による周囲の入射光の反射によって向上されるように、前記第１のエレクトロクロミック層を前記実質な反射状態にさせ、前記第２のエレクトロクロミック層を前記実質的な透明状態にさせるように更に構成されている、請求項２に記載のディスプレイ装置。
【請求項４】
前記両面ディスプレイアセンブリは、光源からの光を前記両面ディスプレイ内に分配するためのバックライトアセンブリを含む、請求項１に記載のディスプレイ装置。
【請求項５】
前記バックライトアセンブリは、前記第１の可視面に直接バックライトを、前記第２の可視面に間接バックライトを提供するように更に構成され、
前記間接バックライトは、前記第１のエレクトロクロミック層が前記実質的な反射状態にある間に、前記第１のエレクトロクロミック層にバックライトを反射させることを含む、請求項４に記載のディスプレイ装置。
【請求項６】
前記両面ディスプレイアセンブリは、
第１のディスプレイと、
光源からの光を前記第１のディスプレイから直接分配するために、前記第１のディスプレイ上に形成されたバックライトアセンブリと、
前記バックライトアセンブリ上に形成された第２のディスプレイと、
を更に含み、
前記第１のエレクトロクロミック層は前記第１のディスプレイ上に形成され、前記第２のエレクトロクロミック層は前記第２のディスプレイ上に形成される、請求項１に記載のディスプレイ装置。
【請求項７】
前記第１のエレクトロクロミック層と前記第２のエレクトロクロミック層は、反射遷移金属水素化物を含む、請求項１に記載のディスプレイ装置。
【請求項８】
前記第１のエレクトロクロミック層と第２のエレクトロクロミック層の各々は、
第１の透明導体層と、
前記第１の透明導体層上に形成されたイオン貯蔵層と、
前記イオン貯蔵層上に形成されたイオン導電層と、
前記イオン導電層上に形成された反射エレクトロクロミック層と、
前記反射エレクトロクロミック層上に形成された第２の透明導体層と、
を含み、
前記イオン導電層と前記反射エレクトロクロミック層は、前記電力供給部からのスイッチ電圧を受信するように構成されている、請求項７に記載のディスプレイ装置。
【請求項９】
前記第１のエレクトロクロミック層と前記第２のエレクトロクロミック層の各々は、前記実質的な反射状態の間は約８０〜１００％の反射率を、前記実質的な透明状態の間は約８０〜１００％の透過率を示す、請求項７に記載のディスプレイ装置。
【請求項１０】
両面液晶ディスプレイが、前記両面液晶ディスプレイの第１の可視面を表示させる第１の動作モード、又は前記両面液晶ディスプレイの第２の可視面を表示させる第２の動作モードにいるかを判定することを含み、
前記両面液晶ディスプレイが前記第１の動作モードまたは前記第２の動作モードにいるかを判定することは、
前記両面液晶ディスプレイの前記第１の可視面と、前記両面液晶ディスプレイの前記第２の可視面上の周囲の光の入射を監視し、
前記両面液晶ディスプレイの前記第１の可視面への周囲の光の入射が、前記両面液晶ディスプレイの前記第２の可視面への入射よりも多い場合には、前記両面液晶ディスプレイは前記第１の動作モードにあると判定し、
前記両面液晶ディスプレイの前記第２の可視面への周囲の光の入射が、前記両面液晶ディスプレイの前記第１の可視面への入射よりも多い場合には、前記両面液晶ディスプレイは前記第２の動作モードにあると判定することを更に含み、
前記両面液晶ディスプレイが前記第１の動作モードにいると判定される場合には、
前記両面液晶ディスプレイの前記第１の可視面上に形成された第１のエレクトロクロミック層を、実質的な透明状態にさせ、
前記両面液晶ディスプレイの前記第２の可視面上に形成された第２のエレクトロクロミック層を、実質的な反射状態にさせ、
前記両面液晶ディスプレイが前記第２の動作モードにいると判定される場合には、
前記両面液晶ディスプレイの前記第１の可視面上に形成された前記第１のエレクトロクロミック層を、実質的な反射状態にさせ、
前記両面液晶ディスプレイの前記第２の可視面上に形成された前記第２のエレクトロクロミック層を、実質的な透明状態にさせる、方法。
【国際調査報告】
2011517345.tif 000014
2011517345.tif 000015
2011517345.tif 000016